(57)【要約】【課題】  通信管理レポートに相手先の名前、ファックス番号等が記載されていると第三者に情報漏洩の虞があった。【解決手段】  外部装置との送受信によって生成される送信の宛先情報及び受信の宛先情報の少なくとも一方を含む通信履歴を格納し、通信管理レポートとして出力可能な通信端末装置であって、上記通信端末装置を使用可能なユーザのユーザ情報を格納しているユーザ情報格納部と、上記通信管理レポートにおける上記宛先情報を出力させない設定が可能なセキュリティ機能設定部と、上記ユーザの上記通信管理レポートの出力要求に応じてその通信管理レポートを出力する出力部とを有し、上記セキュリティ機能設定部が上記宛先情報を出力させない設定である場合に、上記出力部によって出力される上記通信管理レポートには、少なくとも、上記ユーザ情報格納部に格納されている上記ユーザ情報に登録され、その通信管理レポートの出力要求を行う通信管理レポート要求ユーザに対応付けない上記宛先情報を出力しない。【選択図】        図１
2010062775.tif 000002
【特許請求の範囲】
【請求項１】
外部装置との送受信によって生成される送信宛先情報及び受信の宛先情報の少なくとも一方を含む通信履歴を格納し、通信管理レポートとして出力可能な通信端末装置であって、
前記通信端末装置を使用可能なユーザのユーザ情報を格納しているユーザ情報格納部と、
前記通信管理レポートにおける前記宛先情報を出力させない設定が可能なセキュリティ機能設定部と、
前記ユーザの前記通信管理レポートの出力要求に応じて該通信管理レポートを出力する出力部と、
を有し、
前記セキュリティ機能設定部が前記宛先情報を出力させない設定である場合に、前記出力部によって出力される前記通信管理レポートには、少なくとも、前記ユーザ情報格納部に格納されている前記ユーザ情報に登録され該通信管理レポートの出力要求を行う通信管理レポート要求ユーザに対応付けない前記宛先情報を出力しないことを特徴とする通信端末装置。
【請求項２】
前記セキュリティ機能設定部が前記宛先情報を出力させない設定である場合に、前記出力部によって出力される前記通信管理レポートには、少なくとも、前記ユーザ情報格納部に格納されている前記ユーザ情報に登録され該通信管理レポートの出力要求を行う通信管理レポート要求ユーザに対応付ける前記宛先情報を出力することを特徴とする請求項１に記載の通信端末装置。
【請求項３】
前記出力部が出力する前記通信管理レポートを、接続された上位装置に表示させるためのウエブブラウザ処理部を有することを特徴とする請求項１に記載の通信端末装置。
【発明の詳細な説明】
【技術分野】
【０００１】
本発明は、通信端末装置に関する。
【背景技術】
【０００２】
従来、ファクシミリ装置は、通信履歴を管理しており、ユーザの要求に応じて通信管理レポートを出力する機能を有している。下記の特許文献１には、通信履歴を管理するデータ通信装置において、通信履歴に送信画データに関する件名情報を記載することで送信エラー発生時の再送信すべき原稿を特定するのを容易にする方法が開示されている。
【特許文献１】特開２００５−３４０９３２号公報
【発明の開示】
【発明が解決しようとする課題】
【０００３】
しかしながら、上記特許文献１のデータ通信装置では、送信相手の名前やファックス番号等の宛先情報が通信管理レポートに印刷されているために、第三者が通信管理レポートを出力すると宛先の名前やファックス番号等の宛先情報が漏洩するためにセキュリティ上に問題があった。
【課題を解決するための手段】
【０００４】
本発明は、以上の問題を解決するために、次の構成を具備する。
【０００５】
本発明は、外部装置との送受信によって生成される送信の宛先情報及び受信の宛先情報の少なくとも一方を含む通信履歴を格納し、通信管理レポートとして出力可能な通信端末装置であって、上記通信端末装置を使用可能なユーザのユーザ情報を格納しているユーザ情報格納部と、上記通信管理レポートにおける上記宛先情報を出力させない設定が可能なセキュリティ機能設定部と、上記ユーザの上記通信管理レポートの出力要求に応じてその通信管理レポートを出力する出力部とを有し、上記セキュリティ機能設定部が上記宛先情報を出力させない設定である場合に、上記出力部によって出力される上記通信管理レポートには、少なくとも、上記ユーザ情報格納部に格納されている上記ユーザ情報に登録され、その通信管理レポートの出力要求を行う通信管理レポート要求ユーザに対応付けない上記宛先情報を出力しないことを特徴とする。
【発明の効果】
【０００６】
本発明によれば、ログインしたユーザが送信した通信履歴のみ宛先情報を印刷させることが可能になるので、第三者に漏洩しては困る客先情報を、第三者が通信管理レポートを出力時に印刷させないようにすることが可能になる。しかも、ログインしたユーザが通信管理レポートを参照し、送信した複数の送信原稿の中に送信エラーがあれば再送信すべき原稿の特定が可能である。
【発明を実施するための最良の形態】
【０００７】
以下、本発明の実施形態を説明する。ここでは通信端末装置としてＭＦＰ（ＭＵＬＴＩＦＵＮＣＴＩＯＮ  ＰＥＲＩＰＨＥＲＡＬ：多機能周辺装置）を適用して説明する。
【実施例１】
【０００８】
図１は、実施例１のＭＦＰの機能ブロック図である。
ＭＦＰ１００は、ＣＰＵ１０１、パネル制御部１０２、スキャナ部１０３、画像処理部１０４、印刷部１０５、ファックス通信制御部１０６、ネットワーク通信制御部１０７、ＲＯＭ１０８、フラッシュメモリ１０９、通信履歴管理部１１０、レポート生成部１１１、ユーザ認証部１１２及びシステムバス１１３を有する。
【０００９】
ＣＰＵ１０１は、マイクロコンピュータであり、ＲＯＭ１０８に格納された制御プログラムを実行することによってＭＦＰ１００の各機能を実現させる部分である。ＣＰＵ１０１は、制御する各部とシステムバス１１３で接続されており、機能に応じて各部を統括制御する。
【００１０】
パネル制御部１０２は、ユーザとＭＦＰ１００との間でマンマシンインタフェースの役割をはたす部分である。
図２は、実施例１のＭＦＰのパネル制御部の説明図である。
図に示すように、パネル制御部１０２は、設定項目やＭＦＰ１００のステータスを表示
するための表示部１１８、文字や数値を入力するためのテンキー１１９、各種設定操作で使用するためのカーソルキー１２０と確定キー１２１、各機能画面や設定画面を切り替えるためのモード切替釦１２２を備え、更にＭＦＰ１００の各機能を実行するためのスタート釦１２３、実行中の動作を中断させるためのストップ釦１２４を備える。
【００１１】
図１の説明に戻ってスキャナ部１０３は、ファクシミリ送信する原稿、もしくは複写する原稿を走査し印刷データに変換する部分である。印刷データへの変換手段は既知の様々な方式を採用することができる。例えば、原稿台ガラス上に対象原稿を置き密着型ラインイメージセンサを走行させて読み取る方式、またはＣＣＤイメージセンサを走行させて読み取る方式等がある。
【００１２】
画像処理部１０４は、ファックス通信制御部１０６及びネットワーク通信制御部１０７が送受信する画像データ、もしくはスキャナ部１０３において原稿を読み込み生成された画像データを編集し、中間データを作成し、中間データを展開してラスターデータを作成するといった画像処理を行う部分である。ラスターデータは、位置情報と数値情報とで構成される。
【００１３】
印刷部１０５は、外部のファクシミリ装置等から受信した画像データ、又は複写の際にスキャナ部１０３が読み取った画像データ等をＭＦＰ１００に予め収納されたＡ４サイズ、Ｂ４サイズ等の記録紙上に印刷する部分である。
【００１４】
ファックス通信制御部１０６は、通信回線網と接続し、回線の発呼、着信の制御を行い、相手先ファクシミリ装置等との画像データの送受信を行う部分である。
【００１５】
ネットワーク通信制御部１０７は、ネットワーク経由でのメール及び画像データの送受信等の制御を行う部分である。
【００１６】
ＲＯＭ１０８（ＲＥＡＤ  ＯＮＬＹ  ＭＥＭＯＲＹ）は、ＭＦＰ１００を制御するためにＣＰＵ１０１を動作させる所定の制御プログラムが予め格納されているメモリである。
またＲＯＭ１０８は、ＭＦＰ１００の電力が遮断されても記憶内容が保持される不揮発性メモリである。
【００１７】
フラッシュメモリ１０９は、ＭＦＰ１００に予め設定されるセキュリティ機能設定１１４、宛先情報出力設定１１５、通信履歴情報１１６及びユーザ情報１１７を格納するための書き換え可能なメモリである。またフラッシュメモリ１０９は、ＲＯＭ１０８同様にＭＦＰ１００の電力が遮断されても記憶内容が保持される不揮発性メモリである。
【００１８】
ここで、フラッシュメモリ１０９に格納される設定情報について説明する。
セキュリティ機能設定１１４は、通信管理レポートにＭＦＰ１００を使用中の認証されたユーザ以外の通信履歴について宛先情報を印刷させるかどうかを設定するために予めＭＦＰ１００の管理者によって有効もしくは無効に設定される。
【００１９】
宛先情報出力設定１１５は、通信管理レポートに宛先情報を印刷させるかどうかを設定するために予めＭＦＰ１００の管理者によって印刷する／しないが設定される。
【００２０】
通信履歴情報１１６は、通信履歴管理部１１０によってファックス通信制御部１０６及びネットワーク通信制御部１０７が送受信した印刷データに関する通信履歴が書き込まれる情報である。
【００２１】
ユーザ情報１１７は、ＭＦＰ１００を使用するために認証登録されたユーザを示す情報である。ユーザ情報１１７は、ユーザ番号、ユーザＩＤ及びパスワードで構成される。
【００２２】
通信履歴管理部１１０は、ファックス通信制御部１０６及びネットワーク通信制御部１０７が送受信した印刷データに関する通信履歴をフラッシュメモリ１０９の通信履歴情報１１６へ書き込み及び読み込みを行う部分である。
【００２３】
レポート生成部１１１は、ユーザの要求により通信管理レポートを出力する際に通信履歴管理部１１０から通信履歴を受け取り通信管理レポート用の印刷データを生成する部分である。
ユーザ認証部１１２は、ＭＦＰ１００を利用するユーザの認証を行う部分である。
【００２４】
次に、実施例１における通信管理レポートに関するセキュリティ機能及び宛先情報出力の設定に関して説明する。
図３は、実施例１の通信管理レポートに関するセキュリティ機能設定、宛先情報出力設定の説明図である。
【００２５】
パラメータであるＶＩＥＷ  ＤＥＳＴＩＮＡＴＩＯＮ  ＩＮＦＯの設定値をＯＮ／ＯＦＦにすることにより、宛先情報出力設定を行い通信管理レポートに宛先情報を印刷するか否かが設定される。
【００２６】
また、パラメータであるＳＥＣＵＲＩＴＹ  ＭＯＤＥの設定値をＥＮＡＢＬＥ／ＤＩＳＡＢＬＥにすることにより、ユーザ認証の有効／無効の設定を行い、通信管理レポートにＭＦＰ１００を使用中のユーザの通信履歴についてのみを宛先情報として印刷するか否かが設定される。但し、前述のＶＩＥＷ  ＤＥＳＴＩＮＡＴＩＯＮ  ＩＮＦＯの設定値がＯＦＦであれば、ＳＥＣＵＲＩＴＹ  ＭＯＤＥの設定に関わらず通信管理レポートに宛先情報は一切印刷されない。
【００２７】
次に、実施例１の通信履歴情報について説明する。
図４は、実施例１の通信履歴情報の説明図である。
図に示すように通信履歴情報１１１は、通信番号１２５、ユーザＩＤ１２６、宛先名称１２７、宛先１２８、種別１２９、開始日時１３０、通信時間１３１、通信枚数１３２、受信枚数１３３及び通信結果１３４の項目で構成される。
【００２８】
通信番号１２５は、過去の通信履歴の順番を示す番号である。
ユーザＩＤ１２６は、ＭＦＰ１００よりＦＡＸ又はメール等を送信したユーザを示すＩＤである。
宛先名称１２７は、送信相手先の名称を示す。
宛先１２８は、送信相手先のＦＡＸ番号、メールアドレス、サーバ又はコンピュータのＩＰアドレスを示す。
【００２９】
種別１２９は、通信形態（例えばＦＡＸの送信、受信、及びＭＡＩＬ送信等）を示す。
開始日時１３０は、通信の開始日時を示す。
通信時間１３１は、通信した経過時間を示す。
通信枚数１３２は、送信した原稿の枚数を示す。
受信枚数１３３は、受信したデータのページ数を示す。
通信結果１３４は、通信が正常終了したのか通信エラーが発生したのかを示す。
【００３０】
次に、実施例１におけるユーザ情報について説明する。
図５は、フラッシュメモリに格納されているユーザ情報の説明図である。
図に示すように、ユーザ情報１１７には、ユーザ番号１３５、ユーザＩＤ１３６、パスワード１３７で構成される。
【００３１】
ユーザ番号１３５は、ＭＦＰ１００を使用するために予め登録されているユーザの番号を示す。
ユーザＩＤ１３６は、登録されているユーザのＩＤを示す。
パスワード１３７は、登録されているユーザのパスワードを示す。
【００３２】
次に、実施例１のＭＦＰ１００における通信管理レポートの出力の動作について説明する。
図６は、実施例１の通信管理レポートの出力の動作に関するフローチャートである。
【００３３】
以下にステップＳ１０１からステップＳ１０９までステップ順に実施例１の通信管理レポートの出力の動作について図１、図３を併用しながら説明する。
【００３４】
（ステップＳ１０１）
ＭＦＰ１００において、ユーザがパネル制御部１０２を操作して通信管理レポートの印刷要求を行うか、又はユーザが例えばファクシミリ送信を終えて通信管理レポートを自動で出力させるための通信履歴の件数が予め決められた件数を超えると、通信管理レポートの出力を開始する。また、ＣＰＵ１０１は、通信管理レポートの出力の前にユーザがＭＦＰ１００の使用にあたってログインしていなければ、パネル制御部１０２を介してユーザにログイン要求を行う。
【００３５】
（ステップＳ１０２）
ＣＰＵ１０１は、フラッシュメモリ１０９の宛先情報出力設定１１５を読み込む。宛先情報を通信管理レポートに全て印刷させることを示す宛先情報出力設定１１５がＯＮであれば、ステップＳ１０３に進み、宛先情報を通信管理レポートに全て印刷させないことを示すＯＦＦであればステップＳ１０７に進む。
【００３６】
（ステップＳ１０３）
ＣＰＵ１０１は、フラッシュメモリ１０９の宛先情報出力設定１１５を読み込み、ＯＮであれば、次にＣＰＵ１０１は、フラッシュメモリ１０９のセキュリティ機能設定１１４を読み込む。セキュリティ機能設定１１４が有効（ＥＮＡＢＬＥ）であれば、ステップＳ１０４に進み、無効（ＤＩＳＡＢＬＥ）であればステップＳ１０６に進む。
【００３７】
（ステップＳ１０４）
ＣＰＵ１０１は、フラッシュメモリ１０９のセキュリティ機能設定１１４が有効であれば、次にＣＰＵ１０１は、ＭＦＰ１００を認証されたユーザがログイン済みかどうかを確認する。ログイン済みであればステップＳ１０５に進む。
【００３８】
（ステップＳ１０５）
ＣＰＵ１０１は、ＭＦＰ１００において認証されたユーザがログイン済みであれば、通信履歴管理部１１０に指示してログイン中のユーザが送信した通信履歴に該当する宛先名称１２７、宛先１２８の情報を含む通信履歴情報１１６と、ログイン中のユーザ以外が送信した通信履歴においては宛先名称１２７、宛先１２８の情報を含まない通信履歴情報１１６とをフラッシュメモリ１０９からそれぞれ読み込ませる。
【００３９】
（ステップＳ１０６）
一方、ＣＰＵ１０１は、ステップＳ１０３においてセキュリティ機能設定１１４が無効であれば、通信履歴管理部１１０に指示して通信履歴に該当する宛先名称１２７、宛先１２８の情報を含む通信履歴情報１１６をフラッシュメモリ１０９から読み込ませる。
【００４０】
（ステップＳ１０７）
一方、ＣＰＵ１０１は、ステップＳ１０２において宛先情報出力設定１１５がＯＦＦであれば、通信履歴管理部１１０に指示して通信履歴に該当する宛先名称１２７、宛先１２８の情報を含まない通信履歴情報１１６をフラッシュメモリ１０９から読み込ませる。
【００４１】
（ステップＳ１０８）
通信履歴管理部１１０は、フラッシュメモリ１０９から読み込んだ通信履歴情報１１６をレポート生成部１１１に伝達すると、レポート生成部１１１は、通信管理レポートのデータを生成する。
【００４２】
（ステップＳ１０９）
レポート生成部１１１は、通信管理レポートのデータを生成すると、印刷部１０５に伝達し、伝達された印刷部１０５は、データを用いて通信管理レポートを印刷する。
【００４３】
ここで実施例１で生成される各通信管理レポートについて説明する。
図７は、実施例１の宛先情報非印刷時の通信管理レポートの説明図である。
図に示すように、通信管理レポート内の宛先名称１２７及び宛先１２８は空欄となり、それ以外の項目については印刷されている。
【００４４】
図８は、実施例１の宛先情報印刷、セキュリティ機能無効時の通信管理レポートの説明図である。
図に示すように、通信管理レポート内の宛先名称１２７及び宛先１２８は全て表示されている。
【００４５】
図９は、実施例１の宛先情報印刷、セキュリティ機能有効時の通信管理レポートの説明図である。
図に示すように、通信管理レポート内の宛先名称１２７及び宛先１２８は、ユーザＩＤが示す「ｂｃ５６７８９０」の通信履歴についてのみ印刷されている。
【００４６】
なお、本実施例では、ユーザＩＤ「ｂｃ５６７８９０」を発信元とした通信履歴についてのみ通信管理レポート内に宛先名称１２７及び宛先１２８を印刷するようにしたが、これに限定せず、例えばユーザＩＤ「ｂｃ５６７８９０」に関連付けされたメールアドレス、もしくはＦＡＸ番号を装置に登録しておくことにより、宛先がユーザＩＤ「ｂｃ５６７８９０」のＦＡＸ受信、メール受信における通信履歴のみについて通信管理レポート内の宛先名称１２７及び宛先１２８を印刷する方式でも構わず、更にユーザＩＤ「ｂｃ５６７８９０」への受信、送信を含む通信履歴に関して通信管理レポート内の宛先名称１２７及び宛先１２８を印刷する方式でも構わない。
【００４７】
また、メール受信においては、宛先が複数のメール受信の場合には、ＴＯ、ＣＣ（カーボンコピー）及びＢＣＣ（ブラインドカーボンコピー）のいずれかの宛先欄にユーザＩＤ「ｂｃ５６７８９０」に関連付けされたメールアドレスが記載されていれば、ユーザＩＤ「ｂｃ５６７８９０」の受信の通信履歴として通信管理レポート内の宛先名称１２７及び宛先１２８を印刷する方式でも構わない。
【００４８】
また、通信管理レポートは、ユーザＩＤ「ｂｃ５６７８９０」の通信履歴についてのみを印刷するようにしても構わない。
【００４９】
以上のように、実施例１では、宛先情報出力設定をＯＦＦにするか、またはセキュリティ機能設定を有効にすることで、第三者に見られたくない宛先情報を通信管理レポートに印刷させないようにすることが可能になる。しかも、宛先情報出力設定をＯＮにし、セキュリティ機能設定を有効に設定された状態で、ログインしたユーザが通信管理レポートを出力した際に、送信エラーが記述されていれば、送信エラーの原稿が明確なために再送信を容易に行える。
【実施例２】
【００５０】
本実施例では、通信管理レポートを身近なＰＣから閲覧することが可能になるので、ユーザは、ＭＦＰの設置場所にいかずとも通信管理レポートを閲覧することができ、送信エラーの有無を確認できる。
【００５１】
図１０は、実施例２のＭＦＰの機能ブロック図である。
ＭＦＰ２００は、ＣＰＵ１０１、パネル制御部１０２、スキャナ部１０３、画像処理部１０４、印刷部１０５、ファックス通信制御部１０６、ネットワーク通信制御部１０７、ＲＯＭ１０８、フラッシュメモリ１０９、通信履歴管理部１１０、レポート生成部１１１、ユーザ認証部１１２及びシステムバス１１３を有し、実施例２ではウエブページ処理部２１８を備える。また、ネットワーク通信制御部１０７には、ユーザが使用するＰＣ３００がネットワーク等を介して接続されている。
【００５２】
以下に実施例１と異なる部分のみについて詳細に説明する。実施例１と同様な構成については実施例１と同一の符号を付して説明を省略する。
【００５３】
ウエブページ処理部２１８は、ＰＣ３００のウエブブラウザからネットワーク通信制御部１０７を介してＭＦＰ２００のＩＰアドレスにアクセスされると、ＭＦＰ２００の設定メニューをＰＣ３００に参照させる機能を有する。ＰＣ３００は、ウエブブラウザからＭＦＰ２００に対して通信管理レポートの閲覧要求を行うと、ウエブページ処理部２１８は、ＭＦＰ２００のレポート生成部１１１で生成される通信管理レポートのデータより通信管理レポートのウエブページを生成し、ネットワーク通信制御部１０７を介してＰＣ３００に送信しＰＣ３００のウエブブラウザ上に通信管理レポートを表示させる。
【００５４】
次に、実施例２のＭＦＰ２００の通信管理レポートをＰＣ３００で閲覧させる動作について説明する。
図１１は、実施例２のＭＦＰの通信管理レポートをＰＣで閲覧させる動作に関するフローチャートである。
以下にステップＳ２０１からステップＳ２１２までステップ順に実施例２のＭＦＰ２００の通信管理レポートをＰＣ３００で閲覧させる動作について図１０を併用しながら説明する。
【００５５】
（ステップＳ２０１）
ＭＦＰ２００において、ユーザがＰＣ３００のウエブブラウザからＩＰアドレスへのアクセスにより通信管理レポートの閲覧要求を行うと、ＭＦＰ２００は、通信管理レポートの生成を開始する。
【００５６】
（ステップＳ２０２）
ＣＰＵ１０１は、フラッシュメモリ１０９の宛先情報出力設定１１５を読み込む。宛先情報を通信管理レポートに表示させることを示す宛先情報出力設定１１５がＯＮであれば、ステップＳ２０３に進み、宛先情報を通信管理レポートに全て表示させないことを示すＯＦＦであればステップＳ２０８に進む。
【００５７】
（ステップＳ２０３）
ＣＰＵ１０１は、フラッシュメモリ１０９の宛先情報出力設定１１５を読み込み、ＯＮであれば、次にＣＰＵ１０１は、フラッシュメモリ１０９のセキュリティ機能設定１１４を読み込む。セキュリティ機能設定１１４が有効（ＥＮＡＢＬＥ）であれば、ステップＳ２０４に進み、無効（ＤＩＳＡＢＬＥ）であればステップＳ２０９に進む。
【００５８】
（ステップＳ２０４）
ＣＰＵ１０１は、フラッシュメモリ１０９のセキュリティ機能設定１１４が有効であれば、ＣＰＵ１０１は、ウエブページ処理部２１８に指示して、通信管理レポートの閲覧要求を行うユーザにユーザＩＤ及びパスワードを入力させるための入力画面を生成し、ネットワーク通信制御部１０７を介してＰＣ３００に送信しＰＣ３００のウエブブラウザ上にユーザＩＤとパスワードの入力画面を表示させる。
【００５９】
（ステップＳ２０５）
ユーザがＰＣ３００のウエブブラウザ上からユーザＩＤとパスワードを入力すると、ＣＰＵ１０１は、入力されたユーザＩＤとパスワードがユーザ情報１１７に登録されているかどうかをユーザ認証部１１２に確認させる。
【００６０】
（ステップＳ２０６）
入力されたユーザＩＤとパスワードがユーザ情報１１７に登録されている場合にはステップＳ２０７に進み、登録されていない場合には、再度ユーザにユーザＩＤ及びパスワードを入力させるためにステップＳ２０４に戻る。
【００６１】
（ステップＳ２０７）
ユーザが登録済みであれば、通信履歴管理部１１０に指示してログイン中のユーザが送信した通信履歴に該当する宛先名称１２７、宛先１２８の情報を含む通信履歴情報１１６と、ログイン中のユーザ以外が送信した通信履歴においては宛先名称１２７、宛先１２８の情報を含まない通信履歴情報１１６とをフラッシュメモリ１０９からそれぞれ読み込ませる。
【００６２】
（ステップＳ２０８）
一方、ＣＰＵ１０１は、ステップＳ２０２において宛先情報出力設定１１５がＯＦＦであれば、通信履歴管理部１１０に指示して通信履歴に該当する宛先名称１２７、宛先１２８の情報を含まない通信履歴情報１１６をフラッシュメモリ１０９から読み込ませる。
【００６３】
（ステップＳ２０９）
一方、ＣＰＵ１０１は、ステップＳ２０３においてセキュリティ機能設定１１４が無効であれば、通信履歴管理部１１０に指示して通信履歴に該当する宛先名称１２７、宛先１２８の情報を含む通信履歴情報１１６をフラッシュメモリ１０９から読み込ませる。
【００６４】
（ステップＳ２１０）
通信履歴管理部１１０は、フラッシュメモリ１０９から読み込んだ通信履歴情報１１６をレポート生成部１１１に伝達すると、レポート生成部１１１は、通信管理レポートのデータを生成する。
【００６５】
（ステップＳ２１１）
ウエブページ処理部２１８は、レポート生成部１１１が通信管理レポートのデータを生成すると、ＭＦＰ２００のレポート生成部１１１で生成される通信管理レポートのデータから通信管理レポートのウエブページを生成し、ネットワーク通信制御部１０７を介してＰＣ３００に送信する。
【００６６】
（ステップＳ２１２）
生成されたウエブページがネットワーク通信制御部１０７を介してＰＣ３００に送信されると、ＰＣ３００のウエブブラウザ上に通信管理レポートが表示される。
【００６７】
なお、本発明では通信管理レポートを印刷及びＰＣで閲覧させる場合について説明してきたが、例えば、特定のメモリに格納したり、特定のＰＣ、サーバに転送する方式でも構わない。
【００６８】
以上のように、実施例２では、通信管理レポートを身近なＰＣから閲覧することが可能になるのでＭＦＰの設置場所にいかずとも通信管理レポートを確認することができ、ＭＦＰによる送信エラーの有無を確認できる。
【産業上の利用可能性】
【００６９】
なお、本発明は、通信端末装置としてファックス通信、メール送信及びサーバへのファイル送信が可能なＭＦＰを適用して説明したが、ファクシミリ装置やネットワークスキャナにも適用可能である。
【図面の簡単な説明】
【００７０】
【図１】実施例１のＭＦＰの機能ブロック図である。
【図２】実施例１のＭＦＰのパネル制御部の説明図である。
【図３】実施例１のセキュリティ機能設定及び宛先情報出力設定の説明図である。
【図４】実施例１の通信履歴情報の説明図である。
【図５】実施例１のユーザ情報の説明図である。
【図６】実施例１の動作を示すフローチャートである。
【図７】実施例１の宛先情報非印刷時の通信管理レポートの説明図である。
【図８】実施例１の宛先情報印刷、セキュリティ機能無効時の通信管理レポートの説明図である。
【図９】実施例１の宛先情報印刷、セキュリティ機能有効時の通信管理レポートの説明図である。
【図１０】実施例２のＭＦＰの機能ブロック図である。
【図１１】実施例２の動作を示すフローチャートである。
【符号の説明】
【００７１】
１００  ＭＦＰ
１０１  ＣＰＵ
１０２  パネル制御部
１０３  スキャナ部
１０４  画像処理部
１０５  印刷部
１０６  ファックス通信制御部
１０７  ネットワーク通信制御部
１０８  ＲＯＭ
１０９  フラッシュメモリ
１１０  通信履歴管理部
１１１  レポート生成部
１１２  ユーザ認証部
１１４  セキュリティ機能設定
１１５  宛先情報出力設定
１１６  通信履歴情報
１１７  ユーザ情報
【図１】
2010062775.tif 000003
【図２】
2010062775.tif 000004
【図３】
2010062775.tif 000005
【図４】
2010062775.tif 000006
【図５】
2010062775.tif 000007
【図６】
2010062775.tif 000008
【図７】
2010062775.tif 000009
【図８】
2010062775.tif 000010
【図９】
2010062775.tif 000011
【図１０】
2010062775.tif 000012
【図１１】
2010062775.tif 000013